(57)【要約】【課題】折り畳むことによって幾つかの色・柄の組み合わせをすることができＴＰＯに合わせてファッションを楽しむことができるストールを提供する。【解決手段】色・柄の異なる複数枚の生地Ａ，Ｂ，Ｃを、その長さ方向の縁１１に沿って、または縁と平行なラインに沿って一体にしてなるもので、具体的には、色・柄違いのシングル幅の生地を、その片縁で一体にするか、中心ラインで色・柄分けしたダブル幅の生地を、その中心ライン上で一体にし、あるいは、中心ラインで色・柄分けした少なくとも２枚のダブル幅の生地を、その中心ラインに沿って一体にしてなり、必要ならばストール１０の縁に房を設けたものである。【選択図】図１
0003104014.tif 000002
【実用新案登録請求の範囲】
【請求項１】
色・柄の異なる複数枚の生地を、その長さ方向の縁と平行なラインに沿って一体にしてなるストール。
【請求項２】
上記ストールであって長さ方向の縁において一体にしてなる請求項１に記載のストール。
【請求項３】
少なくとも１枚の色・柄違いのシングル幅生地の片縁を、中心ラインで色・柄分けしたダブル幅の生地の中心ライン上で一体にしてなる請求項１に記載のストール。
【請求項４】
中心ラインで色・柄分けした少なくとも２枚のダブル幅の生地を、その中央ラインに沿って一体にしてなる請求項１に記載のストール。
【請求項５】
上記ストールの少なくとも一つの縁に房を設けてなる請求項１乃至４のいずれかに記載のストール。
【請求項６】
上記複数枚の生地を織製段階で一体にしてなる請求項１乃至５のいずれかに記載のストール。
【考案の詳細な説明】
【技術分野】
【０００１】
この考案は、折り畳むことによって種々の色合いを楽しむことのできるストールに関する。
【背景技術】
【０００２】
ストールあるいはマフラーは、使用者が自らの好みにあった色・柄を選んで着用しており、その色・柄の変化はせいぜい裏・表を変える程度で、この程度では行き先、時間および場合（ＴＰＯ）に合わせて変化させるには限度があり、そのために幾種類のものを用意して使い分けている。
【考案の開示】
【考案が解決しようとする課題】
【０００３】
上記のようにＴＰＯに合わせてストールの色・柄を変化させるために幾種類ものストールを用意することは経済的負担が大きくなり、また、一日の内に気分が変わることもあり、これに対して従来のストールでは対応することができない。
【０００４】
上記に鑑みこの考案は、折り畳むことによって幾つかの色・柄の組み合わせをすることができ、ＴＰＯに合わせてファッションの変化を楽しむことができるストールを提供することを課題とする。
【課題を解決するための手段】
【０００５】
上記課題を解決するためにこの考案は、色・柄の異なる複数枚の生地を、その長さ方向の縁と平行なラインに沿って、または縁に沿って一体にしてなるもので、具体的には、色・柄違いのシングル幅の生地を、その片縁で一体にするか、中心ラインで色・柄分けしたダブル幅の生地を、その中心ライン上で一体にし、あるいは、中心ラインで色・柄分けした少なくとも２枚のダブル幅の生地を、その中心ラインに沿って一体にし、必要ならばストールの縁に房を設けたものである。
【考案の効果】
【０００６】
上記の如く構成するこの考案によれば、ストールの折り畳み方を変えることにより色・柄の組み合わせを幾つかに変化させることができ、ＴＰＯに合わせてファッションの変化を楽しむことができる。
【考案を実施するための最良の形態】
【０００７】
次にこの考案の実施形態を、図面を参照しながら説明する。
【実施例１】
【０００８】
図１と図２は第一実施例で、色・柄の異なるシングル幅の三枚の生地Ａ，Ｂ，Ｃを、その長さ方向の縁１１に沿って重ね織り法により織り合わせて一体にしてストール１０としたものである。なお、生地は、タテ糸にカシミヤ１００％、ヨコ糸にカシミヤ１００％を用いて重ね織りした幅３５cm×長さ１９０cmのものを採用した。
この実施例のストールを用いるとき図２（ａ），（ｂ），（ｃ）のように折り畳み方を変えることにより異なった色合いのストールとなり、ファッションのバリエーションを広げることができる。
【実施例２】
【０００９】
図３は第二実施例で、中心ラインを境にして左右に色・柄分けしたダブル幅の生地ＡおよびＢに、色・柄の異なるシングル幅の生地Ｃをダブル幅の生地の中心ライン３１上で重ね織り法により織り合わせ一体にしてストール３０としたものである。なお、ダブル幅の生地は、タテ糸にカシミヤ１００％、ヨコ糸にカシミヤ１００％を用いて重ね織りした幅７０cm×長さ１９０cm、シングル幅の生地は、同質で幅３５cm×長さ１９０cmのものを採用した。
【００１０】
この実施形態のストールを用いるときは、同図（ａ），（ｂ），（ｃ）のように折り畳み方を変えることにより異なった色合いのストールとなり、ファッションのバリエーションを広げることができる。
【実施例３】
【００１１】
図４は第三実施例で、色・柄違いのダブル幅の三枚の生地Ａ，Ｂ，Ｃ，を、その中心ライン４１上で重ね織り法により織り合わせ一体にしたものである。なお、ダブル幅の生地は、タテ糸にカシミヤ１００％、ヨコ糸にカシミヤ１００％を用いて重ね織りし幅７０cm×長さ１９０cmのものを採用した。
【００１２】
この実施例のストールを用いるときも、第一、第二実施例と同様、折り畳み方を変えてファッションのバリエーションを広げることができる。
【００１３】
また、上記実施例では、生地Ａ，Ｂ，Ｃを同一ライン上で一体にしているが、ＡとＢは右端縁で縫合せ、Ｂの左端縁とＣの左端縁とを重ね織りすることもできる。
【実施例４】
【００１４】
図５は第四実施例で、幅１４０cm×長さ１９０cmの生地を二つ折りにして幅７０cm×長さ１９０cmとし、その中心ラインで織り糸と同質の糸で縫合したストール１０の折り畳んだ縁１１を除く三方の縁１１'に一点鎖線のように房１２を設けたものである。
【実施例５】
【００１５】
図６は第五実施例で、幅７０cm×長さ１９０cmの生地を重ね合わせ、その中心ライン３１で、上記と同様の重ね織り法で織り合わせ四方の縁１１'に、一点鎖線のように房１２を設けたものである。
【実施例６】
【００１６】
図７は第六実施例で、第一実施例の重ね織りをした中心ライン３１を除く三方の縁１１'に、一点鎖線のように房１２を設けたものである。
【００１７】
上記各実施例で採用した重ね織り法とは、重ね合わせたいラインにおいて、経糸を大きく引き上げて、引き上げられた経糸の間に緯糸を装填したシャットルをくぐられる手法である。各実施例では上記手法を採用したが、他の公知の手法も採用できる。
【００１８】
なお、上記生地の糸質、織り方は一例であって、他の糸質、織り方を採用し、生地の一体化の縫い合わせ法は採用した生地に適合したものを採用すればよい。
【００１９】
図８は第一実施形態の生地Ｂを表にしてストールとして用いている状態で、図９は、生地Ａを表にしてマフラーとして用いている状態を示す。
【産業上の利用可能性】
【００２０】
以上説明したようにこの考案によれば一つのストールで幾つかの色合いのストールとして用いることができ経済的である。また、重ね織り法を採用することにより、重ね織り部分が嵩張らず着用時に違和感を感ずることがなく、需要拡大の効果があり、産業上の利用可能性が期待できる。
【図面の簡単な説明】
【００２１】
【図１】この考案に係る第一実施例の斜視図
【図２】第一実施例の折畳み例
【図３】第二実施例の模試図（折畳み例）
【図４】第三実施例の斜視図
【図５】第四実施例の斜視図
【図６】第五実施例の斜視図
【図７】第六実施例の斜視図
【図８】第一実施形態の使用状態図（その１）
【図９】第一実施形態の使用状態図（その２）
【符号の説明】
【００２２】
１０，３０，４０  ストール
１１，１１'  縁
１２  房
３１，４１  中心ライン
Ａ，Ｂ，Ｃ  生地
【図１】
0003104014.tif 000003
【図２】
0003104014.tif 000004
【図３】
0003104014.tif 000005
【図４】
0003104014.tif 000006
【図５】
0003104014.tif 000007
【図６】
0003104014.tif 000008
【図７】
0003104014.tif 000009
【図８】
0003104014.tif 000010
【図９】
0003104014.tif 000011